【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
現像剤を内部に収容する筐体と、
電気的接触面を有する記憶媒体と、
前記電気的接触面と交差する第１方向に延びる弾性部材であって、第１状態と第２状態との間で前記第１方向に伸縮可能な弾性部材と、
前記第１方向の外表面に前記電気的接触面が位置するホルダであって、前記筐体に対する前記外表面の位置が、第１位置と第２位置との間で前記第１方向に移動可能なホルダと、を備え、
前記第１状態における前記弾性部材の前記第１方向の長さは、前記第２状態における前記弾性部材の前記第１方向の長さよりも長く、
前記弾性部材が前記第１状態のときに、前記ホルダは前記第１位置に位置し、
前記弾性部材が前記第２状態のときに、前記ホルダは前記第２位置に位置し、
前記ホルダは、前記外表面を含む第１端部と、前記第１端部から前記第１方向に離れた第２端部とを含み、
前記弾性部材は、前記第１方向において前記第１端部と前記第２端部との間に位置することを特徴とする現像カートリッジ。
【請求項２】
請求項１に記載の現像カートリッジであって、
前記第１状態における前記第１端部と前記第２端部との間の前記第１方向の距離は、前記第２状態における前記第１端部と前記第２端部との間の前記第１方向の距離よりも長いことを特徴とする現像カートリッジ。
【請求項３】
請求項１または請求項２に記載の現像カートリッジであって、
前記筐体に対する前記外表面の位置が、前記第１位置、前記第２位置、および第３位置の間で前記第１方向に移動可能であり、
前記弾性部材は、前記第１状態、前記第２状態、および第３状態の間で前記第１方向に伸縮可能であり、
前記第１状態における前記弾性部材の前記第１方向の長さは、前記第２状態における前記弾性部材の前記第１方向の長さよりも長く、
前記第３状態における前記弾性部材の前記第１方向の長さは、前記第２状態における前記弾性部材の前記第１方向の長さよりも長く、
前記弾性部材が前記第３状態のときに、前記ホルダは前記第３位置に位置することを特徴とする現像カートリッジ。
【請求項４】
請求項１に記載の現像カートリッジであって、
前記筐体に対する前記外表面の位置が、前記第１位置、前記第２位置、および第３位置の間で前記第１方向に移動可能であり、
前記弾性部材は、前記第１状態、前記第２状態、および第３状態の間で前記第１方向に伸縮可能であり、
前記第１状態における前記弾性部材の前記第１方向の長さは、前記第２状態における前記弾性部材の前記第１方向の長さよりも長く、且つ、前記第１状態における前記第１端部と前記第２端部との間の前記第１方向の距離は、前記第２状態における前記第１端部と前記第２端部との間の前記第１方向の距離よりも長く、
前記第３状態における前記弾性部材の前記第１方向の長さは、前記第２状態における前記弾性部材の前記第１方向の長さよりも長く、且つ、前記第３状態における前記第１端部と前記第２端部との間の前記第１方向の距離は、前記第２状態における前記第１端部と前記第２端部との間の前記第１方向の距離よりも長く、
前記弾性部材が前記第３状態のときに、前記ホルダは前記第３位置に位置することを特徴とする現像カートリッジ。
【請求項５】
請求項１から請求項４のいずれか一項に記載の現像カートリッジであって、
画像形成装置に対する前記現像カートリッジの取り付けに応じて、前記筐体に対する前記外表面の位置が、前記第１位置から前記第２位置へ移動可能であり、
前記第１位置においては、前記ホルダの一部分および前記電気的接触面が、前記画像形成装置の一部分に接触しない非接触状態であり、
前記第２位置においては、前記ホルダの一部分または前記電気的接触面が、前記画像形成装置の前記一部分に接触する接触状態であることを特徴とする現像カートリッジ。
【請求項６】
請求項３または請求項４に記載の現像カートリッジであって、
画像形成装置に対する前記現像カートリッジの取り付けに応じて、前記筐体に対する前記外表面の位置が、前記第１位置から前記第２位置を経て前記第３位置へ移動可能であり、
前記第１位置においては、前記ホルダの一部分および前記電気的接触面が、前記画像形成装置の一部分に接触しない非接触状態であり、
前記第２位置においては、前記ホルダの一部分または前記電気的接触面が、前記画像形成装置の一部分に接触する接触状態であり、
前記第３位置においては、前記電気的接触面が、前記画像形成装置の電気コネクタに接触するコネクタ接触状態であることを特徴とする現像カートリッジ。
【請求項７】
請求項３、請求項４または請求項６に記載の現像カートリッジであって、
前記第３状態における前記弾性部材の前記第１方向の長さは、前記弾性部材の自然長よりも短いことを特徴とする現像カートリッジ。
【請求項８】
請求項１から請求項７のいずれか一項に記載の現像カートリッジであって、
前記第１方向は、前記電気的接触面に対して垂直な方向であることを特徴とする現像カートリッジ。
【請求項９】
請求項１から請求項８のいずれか一項に記載の現像カートリッジであって、
前記ホルダは、前記記憶媒体とともに移動可能であることを特徴とする現像カートリッジ。
【請求項１０】
請求項１から請求項９のいずれか一項に記載の現像カートリッジであって、
前記ホルダは、前記外表面に前記電気的接触面を保持することを特徴とする現像カートリッジ。
【請求項１１】
請求項１から請求項１０のいずれか一項に記載の現像カートリッジであって、
前記記憶媒体は、前記ホルダの外表面に位置することを特徴とする現像カートリッジ。
【請求項１２】
請求項１１に記載の現像カートリッジであって、
前記ホルダは、前記外表面に前記記憶媒体を保持することを特徴とする現像カートリッジ。
【請求項１３】
請求項１から請求項１２のいずれか一項に記載の現像カートリッジであって、
前記第１方向とは異なる方向に延びる軸について回転可能な現像ローラをさらに有することを特徴とする現像カートリッジ。
【請求項１４】
請求項１から請求項１３のいずれか一項に記載の現像カートリッジであって、
前記ホルダは、前記筐体の側部に位置することを特徴とする現像カートリッジ。
【請求項１５】
請求項１から請求項１４のいずれか一項に記載の現像カートリッジであって、
前記外表面は、
前記第１方向とは異なる第２方向において、前記電気的接触面の一方側に位置する第１表面であって、前記電気的接触面に対して傾斜した第１表面を備えることを特徴とする現像カートリッジ。
【請求項１６】
請求項１５に記載の現像カートリッジであって、
前記第１方向とは異なる第３方向に延びる軸について回転可能な現像ローラであって、前記筐体の前記第２方向における一方側に位置する現像ローラをさらに備えることを特徴とする現像カートリッジ。
【請求項１７】
請求項１５または請求項１６に記載の現像カートリッジであって、
前記第１表面は、第３位置から前記電気的接触面へ向かって第４位置まで延び、
前記第１方向において、前記第３位置は、前記第４位置よりも前記電気的接触面から遠いことを特徴とする現像カートリッジ。
【請求項１８】
請求項１７に記載の現像カートリッジであって、
前記第３位置と前記第４位置との間の前記第１方向の距離は、前記電気的接触面と前記第４位置との間の前記第１方向の距離よりも大きい現像カートリッジ。
【請求項１９】
請求項１５から請求項１８のいずれか一項に記載の現像カートリッジであって、
前記第１表面は、前記現像カートリッジが画像形成装置に装着されるときに前記画像形成装置の一部分に接触可能な第１ガイド面であることを特徴とする現像カートリッジ。
【請求項２０】
請求項１５から請求項１９のいずれか一項に記載の現像カートリッジであって、
前記外表面は、
前記第２方向において、前記電気的接触面の他方側に位置する第２表面であって、前記電気的接触面に対して傾斜した第２表面を備えることを特徴とする現像カートリッジ。
【請求項２１】
請求項２０に記載の現像カートリッジであって、
前記第１方向とは異なる第３方向に延びる軸について回転可能な現像ローラであって、前記筐体の前記第２方向における一方側に位置する現像ローラをさらに備えることを特徴とする現像カートリッジ。
【請求項２２】
請求項２０または請求項２１に記載の現像カートリッジであって、
前記第２表面は、第５位置から前記電気的接触面へ向かって第６位置まで延び、
前記第１方向において、前記第５位置は、前記第６位置よりも前記電気的接触面から遠いことを特徴とする現像カートリッジ。
【請求項２３】
請求項２２に記載の現像カートリッジであって、
前記第５位置と前記第６位置との間の前記第１方向の距離は、前記電気的接触面と前記第６位置との間の前記第１方向の距離よりも大きいことを特徴とする現像カートリッジ。
【請求項２４】
請求項２０から請求項２３のいずれか一項に記載の現像カートリッジであって、
前記第２表面は、前記現像カートリッジが画像形成装置に装着されるときに、前記画像形成装置の一部分に接触可能な第２ガイド面であることを特徴とする現像カートリッジ。
【請求項２５】
請求項１から請求項２４のいずれか一項に記載の現像カートリッジであって、
前記外表面は、
前記第１方向とは異なる第３方向において、前記電気的接触面の両側にそれぞれ位置する第３表面を有し、
前記第１方向において、前記第３表面は、前記電気的接触面よりも前記弾性部材から遠いことを特徴とする現像カートリッジ。
【請求項２６】
請求項２５に記載の現像カートリッジであって、
前記第３表面は、前記現像カートリッジが画像形成装置に装着されるときに前記画像形成装置の一部分に接触可能な第３ガイド面であることを特徴とする現像カートリッジ。
【請求項２７】
請求項２５または請求項２６に記載の現像カートリッジであって、
前記第３方向に延びる軸について回転可能な現像ローラであって、前記筐体の前記第２方向における一方側に位置する現像ローラをさらに備えることを特徴とする現像カートリッジ。
【請求項２８】
請求項１から請求項２７のいずれか一項に記載の現像カートリッジであって、
前記弾性部材は、ばねであることを特徴とする現像カートリッジ。
【請求項２９】
請求項２８に記載の現像カートリッジであって、
前記バネは、コイルばねであることを特徴とする現像カートリッジ。
【請求項３０】
請求項１１または請求項１２のいずれか一項に記載の現像カートリッジであって、
前記記憶媒体は、前記電気的接触面を有することを特徴とする現像カートリッジ。
【請求項３１】
現像剤を内部に収容する筐体と、
電気的接触面を有する記憶媒体と、
前記電気的接触面と交差する第１方向に延びる弾性部材であって、第１状態と第２状態との間で前記第１方向に伸縮可能な弾性部材と、
前記第１方向の外表面に前記電気的接触面が位置するホルダであって、前記筐体に対する前記外表面の位置が、第１位置と第２位置との間で前記第１方向に移動可能なホルダと、を備え、
前記第１状態における前記弾性部材の前記第１方向の長さは、前記第２状態における前記弾性部材の前記第１方向の長さよりも長く、
前記弾性部材が前記第１状態のときに、前記ホルダは前記第１位置に位置し、
前記弾性部材が前記第２状態のときに、前記ホルダは前記第２位置に位置し、
前記筐体に対する前記外表面の位置が、前記第１位置、前記第２位置、および第３位置の間で前記第１方向に移動可能であり、
前記弾性部材は、前記第１状態、前記第２状態、および第３状態の間で前記第１方向に伸縮可能であり、
前記第１状態における前記弾性部材の前記第１方向の長さは、前記第２状態における前記弾性部材の前記第１方向の長さよりも長く、
前記第３状態における前記弾性部材の前記第１方向の長さは、前記第２状態における前記弾性部材の前記第１方向の長さよりも長く、
前記弾性部材が前記第３状態のときに、前記ホルダは前記第３位置に位置することを特徴とする現像カートリッジ。
【請求項３２】
現像剤を内部に収容する筐体と、
電気的接触面を有する記憶媒体と、
前記電気的接触面と交差する第１方向に延びる弾性部材であって、第１状態と第２状態との間で前記第１方向に伸縮可能な弾性部材と、
前記第１方向の外表面に前記電気的接触面が位置するホルダであって、前記筐体に対する前記外表面の位置が、第１位置と第２位置との間で前記第１方向に移動可能なホルダと、を備え、
前記第１状態における前記弾性部材の前記第１方向の長さは、前記第２状態における前記弾性部材の前記第１方向の長さよりも長く、
前記弾性部材が前記第１状態のときに、前記ホルダは前記第１位置に位置し、
前記弾性部材が前記第２状態のときに、前記ホルダは前記第２位置に位置し、
画像形成装置に対する前記現像カートリッジの取り付けに応じて、前記筐体に対する前記外表面の位置が、前記第１位置から前記第２位置へ移動可能であり、
前記第１位置においては、前記ホルダの一部分および前記電気的接触面が、前記画像形成装置の一部分に接触しない非接触状態であり、
前記第２位置においては、前記ホルダの一部分または前記電気的接触面が、前記画像形成装置の前記一部分に接触する接触状態であることを特徴とする現像カートリッジ。
【請求項３３】
現像剤を内部に収容する筐体と、
電気的接触面を有する記憶媒体と、
前記電気的接触面と交差する第１方向に延びる弾性部材であって、第１状態と第２状態との間で前記第１方向に伸縮可能な弾性部材と、
前記第１方向の外表面に前記電気的接触面が位置するホルダであって、前記筐体に対する前記外表面の位置が、第１位置と第２位置との間で前記第１方向に移動可能なホルダと、を備え、
前記第１状態における前記弾性部材の前記第１方向の長さは、前記第２状態における前記弾性部材の前記第１方向の長さよりも長く、
前記弾性部材が前記第１状態のときに、前記ホルダは前記第１位置に位置し、
前記弾性部材が前記第２状態のときに、前記ホルダは前記第２位置に位置し、
前記外表面は、
前記第１方向とは異なる第２方向において、前記電気的接触面の一方側に位置する第１表面であって、前記電気的接触面に対して傾斜した第１表面を備えることを特徴とする現像カートリッジ。
【請求項３４】
請求項３３に記載の現像カートリッジであって、
前記第１方向とは異なる第３方向に延びる軸について回転可能な現像ローラであって、前記筐体の前記第２方向における一方側に位置する現像ローラをさらに備えることを特徴とする現像カートリッジ。
【請求項３５】
請求項３３または請求項３４に記載の現像カートリッジであって、
前記第１表面は、第３位置から前記電気的接触面へ向かって第４位置まで延び、
前記第１方向において、前記第３位置は、前記第４位置よりも前記電気的接触面から遠いことを特徴とする現像カートリッジ。
【請求項３６】
請求項３５に記載の現像カートリッジであって、
前記第３位置と前記第４位置との間の前記第１方向の距離は、前記電気的接触面と前記第４位置との間の前記第１方向の距離よりも大きい現像カートリッジ。
【請求項３７】
請求項３３から請求項３６のいずれか一項に記載の現像カートリッジであって、
前記第１表面は、前記現像カートリッジが画像形成装置に装着されるときに前記画像形成装置の一部分に接触可能な第１ガイド面であることを特徴とする現像カートリッジ。
【請求項３８】
請求項３３から請求項３７のいずれか一項に記載の現像カートリッジであって、
前記外表面は、
前記第２方向において、前記電気的接触面の他方側に位置する第２表面であって、前記電気的接触面に対して傾斜した第２表面を備えることを特徴とする現像カートリッジ。
【請求項３９】
請求項３８に記載の現像カートリッジであって、
前記第１方向とは異なる第３方向に延びる軸について回転可能な現像ローラであって、前記筐体の前記第２方向における一方側に位置する現像ローラをさらに備えることを特徴とする現像カートリッジ。
【請求項４０】
請求項３８または請求項３９に記載の現像カートリッジであって、
前記第２表面は、第５位置から前記電気的接触面へ向かって第６位置まで延び、
前記第１方向において、前記第５位置は、前記第６位置よりも前記電気的接触面から遠いことを特徴とする現像カートリッジ。
【請求項４１】
請求項４０に記載の現像カートリッジであって、
前記第５位置と前記第６位置との間の前記第１方向の距離は、前記電気的接触面と前記第６位置との間の前記第１方向の距離よりも大きいことを特徴とする現像カートリッジ。
【請求項４２】
請求項３８から請求項４１のいずれか一項に記載の現像カートリッジであって、
前記第２表面は、前記現像カートリッジが画像形成装置に装着されるときに、前記画像形成装置の一部分に接触可能な第２ガイド面であることを特徴とする現像カートリッジ。
【請求項４３】
現像剤を内部に収容する筐体と、
電気的接触面を有する記憶媒体と、
前記電気的接触面と交差する第１方向に延びる弾性部材であって、第１状態と第２状態との間で前記第１方向に伸縮可能な弾性部材と、
前記第１方向の外表面に前記電気的接触面が位置するホルダであって、前記筐体に対する前記外表面の位置が、第１位置と第２位置との間で前記第１方向に移動可能なホルダと、を備え、
前記第１状態における前記弾性部材の前記第１方向の長さは、前記第２状態における前記弾性部材の前記第１方向の長さよりも長く、
前記弾性部材が前記第１状態のときに、前記ホルダは前記第１位置に位置し、
前記弾性部材が前記第２状態のときに、前記ホルダは前記第２位置に位置し、
前記外表面は、
前記第１方向とは異なる第３方向において、前記電気的接触面の両側にそれぞれ位置する第３表面を有し、
前記第１方向において、前記第３表面は、前記電気的接触面よりも前記弾性部材から遠いことを特徴とする現像カートリッジ。
【請求項４４】
請求項４３に記載の現像カートリッジであって、
前記第３表面は、前記現像カートリッジが画像形成装置に装着されるときに前記画像形成装置の一部分に接触可能な第３ガイド面であることを特徴とする現像カートリッジ。
【請求項４５】
請求項４３または請求項４４に記載の現像カートリッジであって、
前記第３方向に延びる軸について回転可能な現像ローラであって、前記筐体の前記第２方向における一方側に位置する現像ローラをさらに備えることを特徴とする現像カートリッジ。